(57)【要約】【課題】  ハーネス型安全帯の上から着用でき、着脱が容易で、かつ作業員の作業効率と安全性が損なわれない続服型防護服を得る。【解決手段】背面にランヤード３を取り付けたハーネス型安全帯２の上から着用する続服型防護服１の、上衣部２の背面部にランヤード引出口１２が設け、上衣部２の前面部には、ランヤード引出口１２から続服型防護服１の外側に引き出したランヤード３の先端に備えたフック４を、上衣部２の内側に挿入可能なフック挿入口１４を設けて、ハーネス型安全帯２に設けられたフック掛止部５にフック４を掛止することができるようにした。【選択図】    図１
2019123946.tif 000002
【特許請求の範囲】
【請求項１】
背面にランヤードを取り付けたハーネス型安全帯の上から着用する続服型防護服であって、
上衣部の背面部にランヤード引出口が設けられ、上衣部の前面部には、前記ランヤード引出口から外側に引き出したランヤードの先端に備えたフックを上衣部の内側に挿入可能なフック挿入口が設けられていることを特徴とする続服型防護服。
【請求項２】
前記ランヤード引出口は、上下方向に伸びる直線状のスリットからなることを特徴とする請求項１に記載の続服型防護服。
【請求項３】
前記フック挿入口は、上下方向に伸びる直線状のスリットからなることを特徴とする請求項１又は２に記載の続服型防護服。
【請求項４】
前記フック挿入口は、前記前面部の左右の身頃それぞれに形成されていることを特徴とする請求項１から３のいずれか１項に記載の続服型防護服。
【請求項５】
前記フック挿入口には、前記フック挿入口を開閉可能に覆うカバーが設けられていることを特徴とする請求項１から４のいずれか１項に記載の続服型防護服。
【発明の詳細な説明】
【技術分野】
【０００１】
本発明は、ハーネス型安全帯と作業着が汚れることを防ぐために着用する、上衣部と下衣部が一体に形成された続服型防護服に関する。
【背景技術】
【０００２】
従来、潤滑油や粉塵などの洗い落とすことが難しい汚れが作業着に付着するおそれのある作業現場では、安価で使い捨て可能な、上衣部と下衣部とが一体に形成された続服型防護服を作業着の上から着用するといったことが広く行われている（例えば、非特許文献１）。このような続服型防護服により作業服を被覆すれば、作業服に汚れが付着することを防ぐことができ、保護性能が高く高価な作業服を長期に使用することができる。
【０００３】
ところで、近年、建物の建設現場や工場の高所での作業現場などでは、ハーネス型安全帯を装備して、ハーネス型安全帯に取り付けたランヤードを構造物に掛止することにより、作業員の落下を防ぎ、作業員の安全を確保するといったことが広く普及してきている。ランヤードは所定の長さを有する紐体または長尺の帯体で、一端部がハーネス型安全帯の背面のランヤード取り付け位置に取り付けられる。また、ランヤードの他端部には、作業現場の構造物に掛止するフックが設けられており、このフックを構造物に掛止することにより、作業者が作業現場でバランスを崩したり、足を踏み外したりした場合でも、ランヤードが命綱となり、作業員が落下することを防止することができる。そして、ハーネス型安全帯の着用者の前面側を通るベルト前面部や腰ベルト部には、カラビナやＤ環などのフックを掛止することができるフック掛止部を設けることができ、フック掛止部にフックを掛止することにより、作業現場への往復時など、構造物にフックを掛止していない時に、作業員の両手を空いた状態にすることができる。
【０００４】
このようなハーネス型安全帯を装備する作業現場にも、洗い落とすことが難しい汚れが作業着に付着するおそれのある作業現場がある。例えば、製鉄所では高炉など高所での機械の操作やメンテナンスなどの作業が行われるため、ハーネス型安全帯を装備していることが望ましい現場であり、また、同時に機械の操作やメンテナンス作業により機械の潤滑油などの洗い落とすことが難しい汚れが作業着に付着するおそれがある現場でもある。そのため、このような現場では、作業服だけでなくハーネス型安全帯の汚れも防止するために、ハーネス型安全帯の上から着用することができる続服型防護服が望まれている。
【０００５】
そこで、ハーネス型安全帯の上から着用する衣服として、上半身を覆う形状に作製され、空気排出部を有する服本体と、前記服本体に設けられた開口孔を覆うように取り付けられ、空気を外部から取り込んで前記服本体と身体又は下着との間の空間に空気の流れを強制的に生じさせるファンとを備え、前記服本体は背上部に形成されたフック貫通孔を開閉する開閉手段を有することを特徴とする空調服（例えば、特許文献１）が知られており、続服型防護服も同様に背面にランヤードを引き出す穴を設けることにより、ハーネス型安全帯の上から着用することができる続服型防護服を得ることが考えられる。
【先行技術文献】
【非特許文献】
【０００６】
【非特許文献１】「アゼアス株式会社  防護服総合カタログ」  アゼアス株式会社，２０１３年，ｐ．６−９
【特許文献】
【０００７】
【特許文献１】特開２０１７−１４６４４
【発明の概要】
【発明が解決しようとする課題】
【０００８】
上記の特許文献１に記載された様な上半身を覆う上衣型の衣服の場合は、背面の穴から引き出したランヤードの先端に設けられたフックを腰ベルトに設けたフック掛止部に掛止することができる。そのため、着脱時や、作業現場までの往復時などフックを構造物に掛止していない時に、作業者の両手が空いている状態にすることができる。
【０００９】
しかしながら、続服型の防護服は、全身を覆うことから、ハーネス型安全帯に設けられたフック掛止部にフックを掛止することができず、その着脱を片手が塞がった状態で行う必要があり、特に上衣部の着脱においては背面の穴から引き出したランヤードのフックを背中から回して持ち替えながら、片手で腕を袖に通したり袖から抜いたりしなければならず、着脱が容易ではなくまた時間がかかるといった問題がある。
そして、続服型防護服を着用してから現場に行くまでの間、片手が塞がった状態になるため、荷物の運搬などが片手でしか行えず、作業の効率性が損なわれるといった問題がある。さらに、作業現場に行くまでの間に梯子や急な階段などがある場合に、作業員の安全性が損なわれるといった問題がある。
【００１０】
本発明の目的は、ハーネス型安全帯の上から着用でき、着脱が容易で、かつ作業員の作業効率と安全性が損なわれない続服型防護服を提供することにある。
【課題を解決するための手段】
【００１１】
上記の目的を達成するために、請求項１に記載の発明は、背面にランヤードを取り付けたハーネス型安全帯の上から着用する続服型防護服であって、上衣部の背面部にランヤード引出口が設けられ、上衣部の前面部には、前記ランヤード引出口から外側に引き出したランヤードの先端に備えたフックを上衣部の内側に挿入可能なフック挿入口が設けられていることを特徴とする。
【００１２】
請求項１に記載の発明によれば、上衣部の背面部にランヤード引出口が設けられていることから、ランヤードを続服型防護服の内側から外側に引き出すことができる。
また、上衣部の前面部には、前記ランヤード引出口から外側に引き出したランヤードの先端に備えたフックを上衣部の内側に挿入可能なフック挿入口が設けられているので、続服型防護服の着脱時にフックを掛止しておくことにより、両手を使ってその着脱をすることができる。例えば、続服型防護服の着用を次のようにすることができる。まず、ハーネス型安全帯に設けられたフック掛止部にフックを掛止した状態で下衣部を着用する。次にフックの掛止を解除し、ランヤード引出口を介してランヤードを続服型防護服の内側から外側に引き出す。そして、引き出したランヤードのフックを一時的にハーネス型安全帯のフック掛止部に掛止する。この状態で片側の腕を袖に通す。それから、袖を通した側の前面の身頃に形成されたフック挿入口にフックを挿入し、ハーネス型安全帯に設けられたフック掛止部にフックを掛止する。そして、もう一方の腕を袖に通す。このようにすることにより、片手が塞がった状態で腕を袖に通したり、フックを背中から回して持ち替えたりする必要が無く、容易且つ短い時間で続服型防護服を着用することができる。
また、作業現場までの往復時など、フックを構造物に掛止していない時に、フック挿入口からフックを挿入してハーネス型安全帯のフック掛止部にフックを掛止しておけば、両手を開けた状態でいることができ、作業員の作業効率や安全性が損なわれるといった事態を防ぐことができる。
【００１３】
請求項２に記載の発明は、請求項１に記載の、前記ランヤード引出口は、上下方向に伸びる直線状のスリットからなることを特徴とする。
【００１４】
請求項２に記載の発明によれば、前記ランヤード引出口は、直線状のスリットからなるので、ランヤードを引出した状態や作業により防護服が引っ張られた状態でのランヤード引出口の開きが小さく、汚れが防護服内に入り込むおそれを小さくすることができる。
また、スリットを上下方向に伸びるように形成しているので、着用者の体型やハーネス型安全帯の種類により、ハーネス型安全帯におけるランヤードの取り付け位置が防護服に対して上下にずれる場合でも、スリットの上下の長さの範囲で対応することができる。
【００１５】
請求項３に記載の発明は、請求項１又は２に記載の、前記フック挿入口は、上下方向に伸びる直線状のスリットからなることを特徴とする。
【００１６】
請求項３に記載の発明によれば、前記フック挿入口は、直線状のスリットからなるので、フックを挿入している状態や作業により防護服が引っ張られた状態でのフック挿入口の開きが小さく、汚れが防護服内に入り込むおそれを小さくすることができる。
また、スリットを上下方向に伸びるように形成しているので、着用者の体型やハーネス型安全帯の種類により、ハーネス型安全帯におけるフック掛止位置が防護服に対して上下にずれる場合でも、スリットの上下の長さの範囲で対応することができる。
【００１７】
請求項４に記載の発明は、請求項１から３のいずれか１項に記載の、前記フック挿入口は、前記前面部の左右の身頃それぞれに形成されていることを特徴とする。
【００１８】
請求項４に記載の発明によれば、前記フック挿入口は、前記前面部の左右の身頃それぞれに形成されているので、左右のいずれの方向からもフックを続服型防護服内に挿入することができる。そのため、続服型防護服の着用にあたり、特に袖の着脱をどちらの腕から行っても良く、続服型防護服の着脱をより容易に行うことができる。また、作業現場への往復時などのフックを構造物に掛止していない時にも、壁などの障害の位置や作業員の利き腕によりフックを挿入する方向を選択することができ、作業員の作業効率と安全性が損なわれることをより効果的に防止することができる。
【００１９】
請求項５に記載の発明は、請求項１から４のいずれか１項に記載の、前記フック挿入口には、前記フック挿入口を開閉可能に覆うカバーが設けられていることを特徴とする。
【００２０】
請求項５に記載の発明によれば、前記フック挿入口には、前記フック挿入口を開閉可能に覆うカバーが設けられているので、前記フック挿入口から汚れが入るおそれを小さくすることができる。
【発明の効果】
【００２１】
本発明に係る防護服によれば、ハーネス型安全帯の上から着用でき、着脱が容易で、かつ作業員の作業効率と安全性が損なわれない続服型防護服を得ることができる。
【図面の簡単な説明】
【００２２】
【図１】本発明に係る続服型防護服を示す（ａ）正面図と（ｂ）背面図である。
【図２】図１に示す続服型防護服の上衣部の背面を示す、一部省略拡大背面図である。
【図３】図１に示す続服型防護服のランヤード引出口からランヤードを引き出した状態を示す斜視説明図である。
【図４】図１に示す続服型防護服の上衣部の前面を示す、一部省略拡大正面図である。
【図５】図１に示す続服型防護服のフック挿入口にフックを挿入してフック掛止部に掛止した状態を示す斜視説明図である。
【発明を実施するための形態】
【００２３】
以下、本発明に係る続服型防護服の実施の形態を、図面を参照して詳細に説明する。
図１乃至図５は本発明に係る続服型防護服の実施の形態の１例を示し、図１は本発明に係る続服型防護服を示す（ａ）正面図と（ｂ）背面図、図２は図１に示す続服型防護服の上衣部の背面を示す、一部省略拡大背面図、図３は図１に示す続服型防護服のランヤード引出口からランヤードを引き出した状態を示す斜視説明図、図４は図１に示す続服型防護服の上衣部の前面を示す、一部省略拡大正面図、図５は図１に示す続服型防護服のフック挿入口にフックを挿入してフック掛止部に掛止した状態を示す斜視説明図である。
【００２４】
続服型防護服１は、高所且つ洗い落とすことが難しい汚れが付着するおそれのある作業現場で、作業着とハーネス型安全帯２の汚れを防止するために、ハーネス型安全帯２の上から着用する防護服である。
ハーネス型安全帯２は、作業服の上から装備され、背面に紐状又は帯体であるランヤード３の一端側が取り付けられている。また、ハーネス型安全帯２の前面側には、ランヤード３の他端側に設けられたフック４を掛止することができるＤ環やカラビナなどのフック掛止部５が設けられている。なお、ランヤード３のハーネス型安全帯２への取り付けは公知の手段を用い、特に限定されない。
このようなハーネス型安全帯２の上から着用する続服型防護服１は、上衣部６と下衣部７とを一体に形成した続服型であり、前面の中央部分には上衣部６の上端から、下衣部７の股部近傍まで延在して設けた線ファスナー８を開閉することにより、着脱できるようになっている。なお、続服型防護服１の開閉は線ファスナーに限られず、面ファスナーなどであってもよい。また、線ファスナー８の形成位置は続服型防護服１の着脱をすることができれば、他の位置であってもよい。続服型防護服１の袖口９と裾１０は、紐状又は帯状のゴム紐等の弾性体を設けて拡径可能に絞っており、着用時に着用者の手首と足首の周囲に隙間が生じないようにしている。なお、袖口９と裾１０絞りは他の公知の方法によることもできる。また、本例の続服型防護服１は、上衣部６の上部に着用者の頭部を覆うフード１１を設けている。
【００２５】
続服型防護服１の生地は、油等の汚れが染みこまないバリア性を備えた生地であれば特に限定されるものではないが、軽量で引き裂き強さを備えた素材であることが望ましく、続服型防護服が着用される場面により、所望の性能を備えた不織布等を用いる。なお、本例では、軽量で、高いバリア性能と引き裂き強さを備えた不織布を用いている。
【００２６】
続服型防護服１の上衣部６の背面には、ハーネス型安全帯２の背面に取り付けられたランヤード３を、続服型防護服１の内側から外側に引き出すためのランヤード引出口１２を設けている。
【００２７】
ランヤード引出口１２は、続服型防護服１を着用したときに、着用者が装備するハーネス型安全帯２におけるランヤード取り付け位置１３が内面側となる位置に設ける。ハーネス型安全帯のランヤードの取り付け位置は一般的に背面の中央部分のやや上方であることから、本例では、ランヤード引出口１２を上衣部６の背面の幅方向中央部分で、上下方向の中央部分やや上方に形成している。
【００２８】
また、ランヤード引出口１２の形状は、ランヤード３を引き出すことができれば、特に限定されるものではないが、本例では上下方向に伸びる直線状スリットとしている。このように、ランヤード引出口１２を直線状のスリットとすることにより、ランヤード３の引き出した状態や、作業により防護服が引っ張られた状態での、ランヤード引出口１２の開きを小さくすることができる。また、直線状のスリットを上下方向に伸びるように形成しているので、着用者の体型やハーネス型安全帯の種類により、ハーネス型安全帯におけるランヤード取り付け位置１３が防護服に対して上下にずれる場合でも、スリットの上下の長さの範囲で対応することができる。
なお、続服型防護服１には、ランヤード引出口１２を開口可能に覆う引出口カバー部を設けても良い。
【００２９】
続服型防護服１の上衣部６の前面には、続服型防護服１の内側からランヤード引出口１２を介して外側に引き出されたランヤード３の他端側に設けられたフック４を挿入して、ハーネス型安全帯２に設けられたＤ環やカラビナなどのフック掛止部５に掛止するためのフック挿入口１４を形成している。
【００３０】
フック挿入口１４の形成位置は、フック４を挿入して、フック掛止部５に掛止することができれば特に限定されないが、フック４の挿入と掛止を容易にするために、フック挿入口１４は、続服型防護服１を着用したときに、フック掛止部５の設置位置がフック挿入口１４の内面又はフック挿入口１４内面のフック４の挿入方向の奥側の近傍の位置となる位置に形成することが望ましい。本例では、ハーネス型安全帯２の左右の肩から胸に亘るベルト部に設けられたフック掛止部５がフック挿入口１４の内面のフック挿入方向奥側の近傍となる位置に形成している。
【００３１】
フック挿入口１４の形状は、フック４を続服型防護服１内に挿入することができる大きさであれば特に限定されるものではないが、本例では上下方向に伸びる直線状スリットとしている。このように、フック挿入口１４を直線状のスリットとすることにより、フック４を挿入した状態や、作業により防護服が引っ張られた状態での、フック挿入口１４の開きを小さくすることができる。また、直線状のスリットを上下方向に伸びるように形成しているので、着用者の体型やハーネス型安全帯の種類により、ハーネス型安全帯におけるフック掛止部５の位置が続服型防護服１に対して上下にずれる場合でも、スリットの上下の長さの範囲で対応することができる。
【００３２】
また、本例の続服型防護服１には、フック挿入口１４を開閉可能に覆う挿入口カバー部１５が設けられている。挿入口カバー部１５の形状は、フック挿入口１４を少なくとも一部被覆することができれば特に限定されるものではないが、本例では、長手方向の長さがフック挿入口１４の上下方向の長さを超える長さとなるように形成した縦長矩形状の布片であり、フック挿入口１４被覆するように続服型防護服１の表面側から重ね、フック挿入口１４の上下近傍と、フック挿入口１４のフック挿入方向奥側近傍で固定している。挿入口カバー部１５の固定は公知の固定手段でよく、例えば糊で貼り付けてもよいし、縫着してもよい。
【００３３】
このように構成された続服型防護服１の着脱は、例えば次の様にすることができる。まず着用については、ハーネス型安全帯２に設けられたフック掛止部５にフック４を掛止した状態で下衣部７を着用する。次にフック４の掛止を解除し、ランヤード引出口１２を介してランヤード３を続服型防護服１の内側から外側に引き出す。そして、引き出したランヤード３のフック４を一時的にハーネス型安全帯２のフック掛止部５に掛止する。この状態で片側の腕を袖に通す。それから、袖を通した側の前面の身頃に形成されたフック挿入口１４にフック４を挿入し、ハーネス型安全帯２に設けられたフック掛止部５にフック４を掛止する。そして、もう一方の腕を袖に通す。このようにすることにより、片手が塞がった状態で腕を袖に通したり、フック４を背中から回して持ち替えたりする必要が無く、容易に且つ短い時間で続服型防護服を着用することができる。
また、脱着については、まず、フック挿入口１４にフック４を挿入してフック掛止部５に掛止した状態で、線ファスナー８を降ろして続服型防護服１を開き上衣部６のフック４が挿入されていない側の袖を腕から抜く。そしてフック４の掛止を解除してフック挿入口１４から引き抜き、フック４を、フック挿入口１４を介さずに開かれた線ファスナー８の間からフック掛止部５に掛止する。それから、もう一方の袖から腕を抜き、フック４の掛止を解除してランヤード３をランヤード引出口１２から引き抜き、再度フック掛止部５にフック４を掛止する。そして下衣部７を脱ぐ。このようにすることにより、着用時と同様に、片手が塞がった状態で腕を袖に通したり、フック４を背中から回して持ち替えたりする必要が無く、容易に且つ短い時間で続服型防護服を脱着することができる。
【００３４】
このように構成された続服型防護服１によれば、上衣部６の背面にランヤード引出口１２が形成されているので、続服型防護服１の内側からランヤード３を続服型防護服１の内側から外側に引き出すことができ、続服型防護服１をハーネス型安全帯２の上から着用することができる。
また、ランヤード引出口１２は、上下方向に伸びる直線状スリットとしているので、ランヤード引出口１２を直線状のスリットとすることにより、ランヤード３の引き出した状態や、作業により防護服が引っ張られた状態での、ランヤード引出口１２の開きを小さくすることができ、ランヤード引出口１２から汚れが続服型防護服１内に入り込むおそれを小さくすることができる。また、着用者の体型やハーネス型安全帯の種類により、ハーネス型安全帯におけるランヤード取り付け位置１３が防護服に対して上下にずれる場合でも、スリットの上下の長さの範囲で対応することができるので、作業員の多様な体型や様々な形状のハーネス型安全帯に対応することができる続服型防護服１を得ることができる。
【００３５】
また、続服型防護服１の上衣部６の前面にはフック挿入口１４が形成されているので、続服型防護服１の着脱を両手が空いた状態で、容易に且つ短い時間で行うことができる。また、作業現場までの往復時など、フック４を構造物に掛止していない時に、フック４をフック掛止部５に掛止して、両手が空いた状態にすることができるので、作業員の作業効率や安全性が損なわれるといった事態を防ぐことができる。
さらに、フック挿入口１４は上下方向に伸びる直線状スリットとしているので、フック４を挿入した状態や、作業により防護服が引っ張られた状態での、フック挿入口１４の開きを小さくすることができ、フック挿入口１４から続服型防護服１内に汚れが入り込むおそれを小さくすることができる。また、着用者の体型やハーネス型安全帯の種類により、ハーネス型安全帯におけるフック掛止部５の位置が続服型防護服１に対して上下にずれる場合でも、スリットの上下の長さの範囲で対応することができ、作業員の多様な体型や様々な形状のハーネス型安全帯に対応することができる続服型防護服１を得ることができる。
また、フック挿入口１４を被覆する挿入口カバー部１５を設けているので、フック挿入口１４から続服型防護服１内に汚れが入り込むことを効果的に防ぐことができる。
【符号の説明】
【００３６】
１  続服型防護服
２  ハーネス型安全帯
３  ランヤード
４  フック
５  フック掛止部
６  上衣部
７  下衣部
８  線ファスナー
９  袖口
１０  裾
１１  フード
１２  ランヤード引出口
１３  ランヤード取り付け位置
１４  フック挿入口
１５  挿入口カバー部
【図１】
2019123946.tif 000003
【図２】
2019123946.tif 000004
【図３】
2019123946.tif 000005
【図４】
2019123946.tif 000006
【図５】
2019123946.tif 000007